(57)【要約】【課題】例えばＡＬＣ等よりなるパネルを建物の外壁などとして取付ける場合の壁パネルの取付構造に係り、上記のような壁パネルを建物躯体の所定位置に構造簡単に且つ容易・安価に取付けることができるようにする。【解決手段】建物躯体１の梁１１の上面に、起立片２ａと水平片２ｂとからなる定規アングル２を設け、その定規アングル２の起立片２ａに載置プレート６０を取付けると共に、上記梁１１の近傍に上下に配置される壁パネルＰ１・Ｐ２のうちの上側の壁パネルＰ１を上記載置プレート６０上に載置するようにした壁パネルの取付構造において、上記載置プレート６０に、その下側に配置される壁パネルＰ２の上部を、該パネルＰ２内に埋設したインサート金具５０と連結ボルト４０とを介して連結保持させたことを特徴とする。【選択図】  図１
2009030266.tif 000002
【特許請求の範囲】
【請求項１】
建物躯体の梁の上面に、起立片と水平片とからなる定規アングルを設け、その定規アングルの起立片に載置プレートを取付けると共に、上記梁の近傍に上下に配置される壁パネルのうちの上側の壁パネルを上記載置プレート上に載置するようにした壁パネルの取付構造において、上記載置プレートに、その下側に配置される壁パネルの上部を、該パネル内に埋設したインサート金具と連結ボルトとを介して連結保持させたことを特徴とする壁パネルの取付構造。
【請求項２】
上記連結ボルトは、上記載置プレートに形成したボルト挿通孔に挿通され、その連結ボルトの先端部を上記インサート金具に形成した雌ねじ孔に螺合して連結してなる請求項１に記載の壁パネルの取付構造。
【請求項３】
上記ボルト挿通孔は、上記定規アングルの長手方向と平行な方向に長い長孔状に形成してなる請求項２に記載の壁パネルの取付構造。
【発明の詳細な説明】
【技術分野】
【０００１】
本発明は、例えばＡＬＣ（軽量気泡コンクリート）等よりなるパネルを建物の外壁などとして取付ける場合の壁パネルの取付構造に関する。
【背景技術】
【０００２】
上記のような壁パネルの取付構造は、従来より種々の構成のものが提案されており、その中で最近は、下記特許文献１〜３に記載のように板状の取付金具を用いて建物躯体に取付ける構成のものが多く採用されている。図６および図７はその一例を示すもので、建物躯体１の外面側に外壁として上下方向および横方向に並べて取付けられる壁パネルの取付構造、特に建物躯体１の梁材１１に対する取付構造を示したものである。なお、上記各壁パネルの形状および梁材１１に対する取付構造は通常それぞれ同一または略同一に形成され、上記各図はそれらの壁パネルの一部、特に図の場合は上下に配置される壁パネルの一部のみを表したもので、図で上側に位置する壁パネルにはＰ１、下側に位置する壁パネルにはＰ２の符号を付して説明する。
【０００３】
上記梁１１としては、本例においては図６および図７に示すようにＨ型鋼が用いられ、その梁１１の上面に、起立片２ａと水平片２ｂとからなる断面Ｌ字形の下地鋼材である定規アングル２が溶接等で一体的に取付けられている。その定規アングル２の起立片２ａには、支持プレート３が溶接Ｗ等で取付けられ、その支持プレート３に下側の壁パネルＰ２の上部中央部を連結ボルト４とインサート金具５とで揺動可能に連結保持させた構成である。上記インサート金具５は、図の場合は上記壁パネルＰ２の上端部の短辺小口面から下方向かって形成した孔ｈ１内に挿入され、そのインサート金具５に形成した不図示の雌ねじ孔に上記連結ボルト４の先端雄ねじ部がねじ込まれている。
【０００４】
また上記定規アングル２の起立片２ａには、略水平な面状の載置プレート６が溶接等で取付けられ、その載置プレート６上に上側の壁パネルＰ１の下端部が載置されている。その載置プレート６は、図の場合はその一端側にそれと一体に且つ所定の間隔をおいて離間させて設けた一対の折曲部６ａ・６ａを上記起立片２ａに溶接Ｗすることによって、上記支持プレート３を跨ぐようにして定規アングル２に取付けられている。
【０００５】
さらに上記上側の壁パネルＰ１の下部の内面側（梁１１側）にはイナズマプレート７が連結ボルト８とインサート金具９とで取付けられ、そのイナズマプレート７と上記パネルＰ１との間に定規アングル２の水平片２ａを挟んで締付け固定した構成である。上記インサート金具９は、図の場合は上記壁パネルＰ１の下端部に上下方向に形成した孔ｈ２内に挿入され、そのインサート金具９に形成した不図示の雌ねじ孔に上記連結ボルト８の先端雄ねじ部がねじ込まれている。
【０００６】
以上が従来多く採用されている取付金具を用いた壁パネルの取付構造の一例を示すものであるが、上記従来のものは上下に隣接する壁パネルＰ１・Ｐ２を梁１１に、支持プレート３と載置プレート６およびイナズマプレート７の３つのプレートを用いて取付ける構成であるから、部品点数や組立工数が多く、取付作業に多大な労力と時間を要する等の不具合があった。
【０００７】
また上記支持プレート３に下側の壁パネルＰ２の上部を連結ボルト４とインサート金具５とで連結保持させる場合、上記支持プレート３が定規アングル２に予め溶接等で固着されていると、上記連結ボルト４をインサート金具５にねじ込む際に梁１１が邪魔になってねじ込み作業が非常に困難もしくは不可能な場合も少なくない。そのため、従来は下側の壁パネルＰ２の上部に予め支持プレート３を組付けてから該パネルＰ２を所定位置に建て込んだ後に上記支持プレート３の左右両側縁を定規アングル２に溶接するようにしているが、その溶接箇所の一部がパネルＰ２で覆われているので溶接がしづらく、しかも上記支持プレート３が自重で下方に回動しないように何らかの手段で固定しながら溶接しなければならないので、作業が煩雑かつ面倒で作業時間やコストが嵩む等の不具合があった。
【０００８】
さらに上記支持プレート３を定規アングル２に溶接した後には、引き続き載置プレート６を定規アングル２に溶接しなければならないので二度手間となり、また先に溶接した支持プレート３の溶接箇所が、後から載置プレート６を溶接する際に邪魔にならないように充分に注意して溶接しなければならない等の面倒があった。
【０００９】
そこで、例えば図８に示すように上記支持プレート３に相当する部分と、載置プレート６に相当する部分とを一体に形成した取付金具を、定規アングル２に溶接Ｗ等で取付けるようにしたもの（例えば上記特許文献２の図３参照）も知られているが、上記各プレート３，６に相当する部分は互いに直角方向に大きく張り出した形状であるので、嵩張って持ち運びや保管に不便である等の問題があった。
【００１０】
また上記支持プレート３は、通常建物躯体１の柱１０や梁１１等の近傍において壁パネルＰ２の内面側に配置され、そのパネル内面よりも上記プレート３の板厚分だけ内方に突出した状態で配置されるので、例えば角筒状の柱１０の上下の継ぎ目間に設けられるフランジ状のダイヤフラム１０ａが上記支持プレート３と干渉するおそれがある。特に、上記柱１０が、その製作誤差や施工誤差もしくは施工上の都合等で壁パネル側に大きく張り出した場合には、上記支持プレート３を所定位置に設置できなくなり、やむを得ず支持プレート３をダイヤフラム１０ａの外側に配置すると、それに応じて一部の壁パネルが外側に突出してパネル表面（外面）に凹凸が生じ、外観体裁を損ねる等の不具合があった。
【００１１】
【特許文献１】特開平１１−２５６７３７号公報
【特許文献２】特開平１１−２９３８３３号公報
【特許文献３】特開２０００−１４４９９１号公報
【発明の開示】
【発明が解決しようとする課題】
【００１２】
本発明は上記の問題点に鑑みて提案されたもので、ＡＬＣパネル等の壁パネルを建物躯体の所定位置に構造簡単に且つ容易・安価に取付けることのできる壁パネルの取付構造を提供することを目的とする。
【課題を解決するための手段】
【００１３】
上記の目的を達成するために本発明による壁パネルの取付構造は、以下の構成としたものである。すなわち、建物躯体の梁の上面に、起立片と水平片とからなる定規アングルを設け、その定規アングルの起立片に載置プレートを取付けると共に、上記梁の近傍に上下に配置される壁パネルのうちの上側の壁パネルを上記載置プレート上に載置するようにした壁パネルの取付構造において、上記載置プレートに、その下側に配置される壁パネルの上部を、該パネル内に埋設したインサート金具と連結ボルトとを介して連結保持させたことを特徴とする。
【発明の効果】
【００１４】
上記のように上側の壁パネルを載置する載置プレートに、その下側に配置される壁パネルの上部を、該パネル内に埋設したインサート金具と連結ボルトとを介して連結保持させるようにしたから、前記従来例のような支持プレート３が一切不要となり、壁パネルを取付けるための取付金具の構成を簡略化することができる。また、それによって上記取付金具の部品点数や組付工数および溶接作業等を簡略化することができるので、壁パネルの取付け作業を容易・迅速に且つ安価に実施することが可能となる。
【００１５】
なお、上記壁パネルの取付け手順は適宜であるが、例えば梁の近傍に上下に配置される壁パネルのうちの下側の壁パネルの上部にインサート金具と連結ボルトとを介して該パネルの上部に載置プレートを取付け、その載置プレートを取付けた壁パネルを所定の位置に建て込んでから該パネルの上部の載置プレートを定規アングルの起立片に溶接等で固着する。或いは予め定規アングルの起立片に載置プレートを溶接等で取付けておき、上記下側の壁パネルを所定の位置に建て込んでから、その壁パネルの上部を上記インサート金具と連結ボルトとを介して上記載置プレートに連結保持させるようにしてもよい。
【発明を実施するための最良の形態】
【００１６】
以下、本発明を図に示す実施形態に基づいて具体的に説明する。図１は本発明による壁パネルの取付構造の一実施形態を示す斜視図、図２はその壁パネル取付構造の縦断面図であり、前記図６および図７の従来例と同様の機能を有する部材には同一の符号を付して説明する。
【００１７】
上記図１および図２の実施形態は、前記図６および図７の従来例と同様に建物躯体１の外面側に外壁として上下方向および横方向に並べて取付けられる壁パネルの取付構造、特に建物躯体１の梁材１１に対する取付構造を示したものである。上記各壁パネルの形状および梁材１１に対する取付構造は、前記従来例と同様にそれぞれ同一または略同一に形成され、上記図１および図２はそれらの壁パネルの一部、特に図の場合は上下に配置される壁パネルの一部のみを表したもので、本実施形態においても図で上側に位置する壁パネルにはＰ１、下側に位置する壁パネルにはＰ２の符号を付して説明する。
【００１８】
上記梁１１としては、本実施形態においても前記従来例と同様にＨ型鋼が用いられ、その梁１１の上面に、起立片２ａと水平片２ｂとからなる断面Ｌ字形の下地鋼材である定規アングル２が溶接等で一体的に取付けられている。その定規アングル２の起立片２ａには略水平な面状の載置プレート６０を溶接等で取付けたもので、本実施形態においては図１および図４に示すように上記載置プレート６０の一端側にそれと一体に設けた折曲部６１の両側縁部を上記起立片２ａに溶接Ｗすると共に、上記折曲部６１に形成したコ字形の切欠部６１ａの下辺も起立片２ａに溶接Ｗした構成である。
【００１９】
そして、上記載置プレート６０に、連結ボルト４０とインサート金具５０とを介して上記載置プレート６０の下側に配置される壁パネルＰ２の上部を連結保持させるようにしたもので、図の場合は上記載置プレート６０に形成したボルト挿通孔６２に連結ボルト４０を挿通し、そのボルト４０の先端部を上記インサート金具５０に形成した雌ねじ孔５０ａにねじ込んだ（螺合した）構成である。
【００２０】
上記インサート金具５０として、本実施形態においては中空筒状のパイプアンカーを用いたもので、そのパイプアンカーの長手方向ほぼ中央部の周壁面に上記の雌ねじ孔５０ａが直径方向に貫通して設けられている。そのパイプアンカーよりなるインサート金具５０は、壁パネルＰ２の上部の一方の長辺小口面から他方の長辺小口面に向かって短辺小口面と略平行に形成した孔ｈ３内に挿入され、その孔ｈ３の長手方向ほぼ中央部に上記雌ねじ孔５０ａが位置するように配置されている。
【００２１】
一方、上記壁パネルＰ２の上部の短辺小口面には、その短辺小口面のほぼ中央部から上記孔ｈ３の長手方向ほぼ中央部を通ってパネル内に延びる孔ｈ１が予め形成されており、その孔ｈ１に、上記載置プレート６０のボルト挿通孔６２に挿通した連結ボルト４０を挿入して、そのボルト４０の先端部を上記雌ねじ孔５０ａに螺合した構成である。
【００２２】
なお、上記載置プレート６０上には、前記従来例と同様に、その載置プレート６０の上方に配置される壁パネルＰ１の下端が載置され、その壁パネルＰ１の下部の内面側には、前記従来例と同様のイナズマプレート７を連結ボルト８とインサート金具９とで取付けると共に、そのイナズマプレート７と上記パネルＰ１との間に定規アングル２の水平片２ａを挟んで締付け固定した構成である。
【００２３】
上記インサート金具９は、本実施例においても前記従来例と同様に壁パネルＰ１の下端部に上下方向に形成した孔ｈ２内に挿入され、そのインサート金具９に形成した不図示の雌ねじ孔に上記連結ボルト８の先端部がねじ込まれている。図中、１２は横方向に隣り合うパネル間の目地部に対応して定規アングル２の水平片２ａとパネルとの間に介在される間隔保持スペーサである。
【００２４】
上記のように上側の壁パネルＰ１を載置する載置プレート６０に、その下側に配置される壁パネルＰ２の上部を、インサート金具５０と連結ボルト４０とを介して連結保持させるようにしたから、前記従来例のような支持プレート３を、載置プレート６とは別に若しくは一体に設ける必要がなく、壁パネルＰ１・Ｐ２を梁１１に取付けるための取付金具の構成を大幅に簡略化することができる。また、それによって上記取付金具の部品点数や組付工数および溶接作業等を簡略化できるので、壁パネルの取付け作業を容易・迅速かつ安価に実施することができる。
【００２５】
また前記従来例のような支持プレート３が不要となるので、例えば前記従来のように建物躯体１の柱１０の施工誤差や施工誤差もしくは施工上の都合等で、上記柱１０の上下の継ぎ目間に設けられるダイヤフラム１０ａが上記支持プレート３と干渉してしまうような位置関係にある場合でも、上記支持プレート３が不要となることで、上記の干渉が防止され、前記従来例のようにパネルの表面に凹凸が生じて外観体裁を損ねるのを良好に防ぐことができるものである。
【００２６】
なお、上記のように構成された壁パネルの取付構造を施工するに当たっては、上下の壁パネルＰ１・Ｐ２のうち下側の壁パネルＰ２から先に施工するもので、その下側の壁パネルＰ２の下端部を、それよりも下側に設けた載置プレート６０上に載置すると共に、その壁パネルＰ２の下部に設けたイナズマプレート７と該パネルの下部との間に下側の定規アングル２の起立片２ａを挟んで係合保持させる。
【００２７】
次いで、上記壁パネルＰ２の上部を載置プレート６０を介して上側の定規アングル２の起立片２ａに取付けるもので、その手順は適宜であるが、例えば上記壁パネルＰ２の上部に載置プレート６０をインサート金具５０と連結ボルト４０とで取付けた後、その載置プレート６０を定規アングル２の起立片２ａに溶接等で固着する。或いは、予め定規アングル２の起立片２ａに載置プレート６０を溶接等で取付けておき、その載置プレート６０に上記壁パネルＰ２の上部をインサート金具５０と連結ボルト４０とで連結保持させることもできる。
【００２８】
その場合、上記連結ボルト４０を挿通する載置プレート６０のボルト挿通孔６２を、図１及び図４に示すように壁パネルＰの幅方向（定規アングル２の長手方向と平行な方向）に長い長孔に形成すると、上記壁パネルＰの載置プレート６０に対する取付位置が上記パネルＰの幅方向に多少ずれても良好に取付けることが可能となる。また前記のように載置プレート６０の折曲部６１にコ字形の切欠部６１ａを形成して、その切欠部６１ａの下辺を定規アングル２の起立片２ａに溶接すると、上記載置プレート６０を定規アングル２に容易かつ強固に取付けることができる。
【００２９】
なお、上記実施形態は、載置プレート６０に壁パネルＰ２の上部を連結保持させる手段としてインサート金具５０と連結ボルト４０とを用い、そのインサート金具５０としてパイプアンカーを、また連結ボルト４０として六角ボルトをそれぞれ用いたが、例えば図５に示すように上記インサート金具５０としてパネルを補強するための補強鉄筋５１等を用い、また連結ボルト４０としてアイボルト４１等を用いることもできる。
【００３０】
上記図５の実施形態は、上記アイボルト４１と補強鉄筋５１とを、前記とほぼ同様に形成した孔ｈ１とｈ３とにそれぞれ挿入するようにしたもので、それによって上記アイボルト４１のリング状部分４１ａに上記補強鉄筋５１を挿入嵌合した構成である。上記アイボルト４１のリング状部分４１ａと反対側の端部には雄ねじ４１ｂが形成され、その端部雄ねじ部４１ｂを載置プレート６０に形成したボルト挿通孔６２に挿通すると共に、上記雄ねじ部４１ｂにナット４２をねじ込んで締め付け固定した構成である。
【００３１】
上記インサート金具５０と連結ボルト４０とは、上記以外にも適宜変更可能であり、例えば上記インサート金具５０としては、壁パネルを所定の製造プロセスに従って製造した後に、該パネルに前記のような孔ｈ２やｈ３等を形成してインサート金具５０を挿入する場合だけでなく、上記壁パネルを製造する際に該パネル内に埋設したインサート金具を用いることもできる。そのインサート金具は、パネル内に埋設される補強鉄筋と一体または別体のいずれでもよく、又そのインサート金具の形状も適宜である。
【００３２】
さらに上記実施形態は、載置プレート６０として一端側に上向きの折曲部６１を有する断面略Ｌ字形のものを用いたが、その形状は適宜変更可能であり、また、その載置プレート６０の定規アングル２に対する取付手段は、上記実施形態のような溶接に限らずボルト止めや引っ掛けて係止する等その他適宜である。さらに上記載置プレート６０上に載置される上側の壁パネルＰ２の下端部の構成も適宜変更可能であり、特に定規アングルに対するイナズマプレート等による係止構造や、イナズマプレート等の係止部材のパネルＰ１に対する取付構造も適宜変更することができる。
【００３３】
また前記のＡＬＣ等よりなる壁パネルの上下の短辺小口面のほぼ中央部には、前記のような孔ｈ１，ｈ２を設けるのが一般的であるが、そのような孔ｈ１，ｈ２を利用して前記のように載置プレート６０と下側の壁パネルＰ２とを連結したり、イナズマプレート等の係止部材を取付けると、所定位置に簡単・確実に連結もしくは取付けることができる。しかも前記のような載置プレート６０と下側の壁パネルＰ２とを前記図１〜図３に示すような連結ボルト４０や図５に示すようなアイボルト４１等で連結保持させた場合には、上記連結ボルト４０の頭部４０ａや上記アイボルト４１の先端やナット４２等を上記孔ｈ２内に位置させることができる。
【００３４】
それによって、載置プレート６０に対して上側の壁パネルＰ１を所定の位置に正確に位置決め固定できると共に、載置プレート６０に対する上側の壁パネルＰ１のずれを防止することが可能となる。なお、上記のような孔ｈ１，ｈ２は必ずしも必要不可欠ではなく、例えば孔ｈ２を設けない場合には、上記頭部４０ａやナット４２等との干渉を避けるための凹部等を必要に応じて上側の壁パネルＰ１の下端面に設ければよく、その凹部等の形状も適宜である。
【産業上の利用可能性】
【００３５】
以上のように本発明によれば、各壁パネルの下端を載置する載置プレートに、下側の壁パネルの上部をインサート金具と連結ボルトとを介して連結保持させるようにしたことによって、前記従来例のようなパネル支持プレートを、載置プレートとは別に若しくは一体に設ける必要がなく、壁パネルを取付けるための金具を簡略化することができる。また、それによって、部品点数や組付工数および溶接作業等が簡略化されて容易・安価に施工することが可能となるもので、ＡＬＣパネルを始め各種の壁パネルを建物躯体に取付ける場合に有効に適用できるものである。
【図面の簡単な説明】
【００３６】
【図１】本発明による壁パネルの取付構造の一実施形態を示す斜視図。
【図２】上記壁パネルの取付構造の縦断面図。
【図３】上側の壁パネルを取付ける状態の縦断面図。
【図４】定規アングルに対する載置パネルの取付状態を示す斜視図。
【図５】本発明による壁パネルの取付構造の他の実施形態を示す一部の縦断面図。
【図６】従来の壁パネルの取付構造の一例を示す斜視図。
【図７】上記従来の壁パネルの取付構造の縦断面図。
【図８】従来の壁パネル取付金具の他の例を示す斜視図。
【符号の説明】
【００３７】
１  建物躯体
１０  柱
１１  梁
２  定規アングル
２ａ  起立片
２ｂ  水平片
３  支持プレート
４、８、４０  連結ボルト
５、９、５０、５１  インサート金具
６、６０  載置プレート
６１  折曲部
６１ａ  切欠部
６２  ボルト挿通孔
Ｐ１、Ｐ２  壁パネル
Ｗ  溶接
【図１】
2009030266.tif 000003
【図２】
2009030266.tif 000004
【図３】
2009030266.tif 000005
【図４】
2009030266.tif 000006
【図５】
2009030266.tif 000007
【図６】
2009030266.tif 000008
【図７】
2009030266.tif 000009
【図８】
2009030266.tif 000010